(57)【要約】【課題】乾燥ドラムに空気を最適の方法で通す空気誘導手段を用いることにより、乾燥空気がより最適の方法で使用される乾燥機を提供すること【解決手段】乾燥機、特にリンネル製品等を乾燥する乾燥機（１）であって、乾燥ドラム（２）、該乾燥ドラム（２）を回転させるための駆動手段（４）、空気流（６）、特に高温空気流（６）を生成するための手段（５）、および乾燥ドラム（２）に空気流（６）を通すための空気誘導手段（７）を有する乾燥機は、空気誘導手段（７）が、空気流（６）が入口から強制的に乾燥ドラム（２）内に送り込まれ出口から排出されるように、構成されており、さらに、該空気が、乾燥ドラム（２）の円筒形ケーシング部（２０）に、および／または乾燥ドラム（２）の軸方向端（２２）で乾燥ドラム（２）の外周の近くに配置されている一つ以上の空気通過開口（１９、２６）を通って強制的に乾燥ドラム（２）内に送り込まれるように構成されている。【選択図】図１
2004113790.tif 000002
【特許請求の範囲】
【請求項１】
　乾燥機、特にリンネル製品等を乾燥する乾燥機（１）であって、乾燥ドラム（２）、該乾燥ドラム（２）を回転させるための駆動手段（４）、空気流（６）、特に高温空気流（６）を生成するための手段（５）、および乾燥ドラム（２）に空気流（６）を通すための空気誘導手段（７）を有する乾燥機において、
　空気誘導手段（７）が、空気流（６）が入口から強制的に乾燥ドラム（２）内に送り込まれ出口から排出されるように、構成されており、
　さらに、該空気が、乾燥ドラム（２）の円筒形ケーシング部（２０）に、および／または乾燥ドラム（２）の軸方向端（２２）で乾燥ドラム（２）の外周の近くに配置されている一つ以上の空気通過開口（１９、２６）を通って強制的に乾燥ドラム（２）内に送り込まれる、
ことを特徴とする乾燥機。
【請求項２】
　前記空気誘導手段（７）が、乾燥ドラム（２）内に空気を送るために、乾燥ドラム（２）に空気通過開口（１９）を有し、また乾燥ドラム（２）内に空気を送るための空気通過開口（１９）のすべてが乾燥ドラム（２）の円筒形ケーシング部（２０）に配置されていることを特徴とする請求項１に記載の乾燥機。
【請求項３】
　前記空気誘導手段（７）が、乾燥ドラム（２）内に空気を送るために、乾燥ドラム（２）に空気通過開口（１９）を有し、また乾燥ドラム（２）内に空気を送るための空気通過開口（１９）のすべてが、主として乾燥ドラム（２）の同一の半分（Ｈ１）に配置されていることを特徴とする請求項１または２に記載の乾燥機。
【請求項４】
　乾燥ドラム（２）の円筒形ケーシング部（２０）に配置されている空気通過開口（１９）が、乾燥ドラム（２）の一端（２２）近くで、円筒形ケーシング部（２０）まわりに帯状に延在している一つの領域に配置されていることを特徴とする請求項１から３の中のいずれか１つに記載の乾燥機。
【請求項５】
　乾燥ドラム（２）内に空気を送るための空気通過開口（１９）のすべてが、主として、前記帯状領域に配置されていることを特徴とする請求項４に記載の乾燥機。
【請求項６】
　乾燥ドラム（２）内に空気を送るための空気通過開口（１９）が、乾燥ドラム（２）の後ろ半分（Ｈ１）に配置されていることを特徴とする請求項３から５の中のいずれか１つに記載の乾燥機。
【請求項７】
　空気誘導手段（７）が、乾燥ドラム（２）に空気を導くための少なくとも一つの空気送入導管（１３）と、乾燥ドラム（２）から空気を排出するための少なくとも一つの空気送出導管（１５）とを有し、空気流（６）が大体乾燥ドラム（２）の一端（２２）から他端（２４）に強制的に移動させられるように、空気送入導管（１３）と空気送出導管（１５）とが配置されているとともに、乾燥ドラム（２）が空気通過開口（１９、２６）を備えていることを特徴とする請求項１から６の中のいずれか１つに記載の乾燥機。
【請求項８】
　空気誘導手段（７）が、乾燥ドラム（２）から空気を排出するための一つ以上の空気通過開口（２５、２７）を有し、該空気通過開口（２５、２７）が、乾燥ドラム（２）の円筒形ケーシング部（２０）、および／または乾燥ドラム（２）の一つの軸方向端（２４）に配置されていることを特徴とする請求項１から７の中のいずれか１つに記載の乾燥機。
【請求項９】
　空気誘導手段（７）が、乾燥ドラム（２）から空気を排出するために、乾燥ドラム（２）に空気通過開口（２５）を有し、また、乾燥ドラム（２）から空気を排出するための空気通過開口（２５）のすべてが、乾燥ドラム（２）の円筒形ケーシング部（２０）に配置されていることを特徴とする請求項８に記載の乾燥機。
【請求項１０】
　空気誘導手段（７）が、乾燥ドラム（２）から空気を排出するために、乾燥ドラム（２）に空気通過開口（２５）を有し、また、乾燥ドラム（２）から空気を排出するための空気通過開口（２５）のすべてが、主として乾燥ドラム（２）の同一の半分（Ｈ２）に配置されていることを特徴とする請求項８または９に記載の乾燥機。
【請求項１１】
　乾燥ドラム（２）の円筒形ケーシング部（２０）に配置してある、空気を排出するための空気通過開口（２５）が、乾燥ドラム（２）の一端（２４）近くの、円筒形ケーシング部（２０）まわりに帯状に延在している一つの領域に配置されていることを特徴とする請求項８から１０の中のいずれか１つに記載の乾燥機。
【請求項１２】
　乾燥ドラム（２）から空気を排出するための空気通過開口（２５）のすべてが、前記領域に配置されていることを特徴とする請求項１１に記載の乾燥機。
【請求項１３】
　空気誘導手段（７）が、主として、乾燥ドラム（２）に空気を供給するための一つの空気送入導管（１３）と、乾燥ドラム（２）から空気を排出するための一つの空気送出導管（１５）とから成り、空気送入導管（１３）と空気送出導管（１５）とが、
　乾燥ドラム（２）の側面から見たとき、空気送入導管（１３）と空気送出導管（１５）とが大体対角線方向に互いに対向配置されていること、
　空気送入導管（１３）が乾燥ドラム（２）の上半分に導かれ、空気送出導管（１５）が乾燥ドラム（２）の下半分に接続されていること、および
　乾燥ドラム（２）の正面から見たとき、空気送入導管（１３）と空気送出導管（１５）とが互いに対角線方向に傾いた関係に配置されていること、
のうち一つ以上の特徴を有するように、乾燥ドラム（２）に接続されていることを特徴とする請求項１から１２の中のいずれか１つに記載の乾燥機。
【請求項１４】
　乾燥機、特にリンネル製品等を乾燥する乾燥機（１）であって、乾燥ドラム（２）、乾燥ドラム（２）を回転させるための駆動手段（４）、空気流（６）、特に高温空気流（６）を生成するための手段（５）、および乾燥ドラム（２）に空気流（６）を通すための空気誘導手段（７）を有する乾燥機において、
　乾燥ドラム（２）が二組の空気通過開口（１９、２５）を備え、該二組が、空気を送入するための第一の組（１９）と空気を排出するための第二の組（２６）とであり、
　該二組が、それぞれ乾燥ドラム（２）の円筒形ケーシング部（２０）の各端近くに配置され、且つそれぞれ円筒形ケーシング部（２０）まわりに帯状に延在しており、該二組の間にある円筒形ケーシング部（２０）の部分が一様に閉じている、
ことを特徴とする乾燥機。
【発明の詳細な説明】
【技術分野】
【０００１】
　本発明は、乾燥機、特にリンネル製品等を乾燥する乾燥機に関する。
【０００２】
　特に、本発明は、乾燥ドラム、乾燥ドラムを回転させる駆動手段、空気流を生成する手段、および乾燥ドラムに空気流を通すための空気誘導手段を有するタイプの乾燥機に関する。
【背景技術】
【０００３】
　この種の乾燥機はいろいろな形のものがすでに公知である。これらのものは、空気誘導手段の実施態様が互いに異なり、特にこれらの空気誘導手段は乾燥ドラムに空気を供給し、乾燥ドラムから空気を排出するやり方が異なる。
【０００４】
　たとえば、公知の乾燥機においては、円筒形ケーシング部の全表面に沿って、乾燥ドラムに空気誘導孔が備えられるが、このときこの乾燥ドラムは固定外側ドラム内に取りつけられているため、乾燥ドラムの円筒形ケーシング部の全体のまわりにおいて、固定ドラムと乾燥ドラムとの間に連続的な空間が存在する。このとき、空気は、一端近くの空気送入導管から該空間内に導かれ、他端近くの空気送出導管から排出される。したがって、固定ドラムと乾燥ドラムとの間の空気は、前記空間から前記空気誘導孔を通って乾燥ドラムにはいり込んで、リンネル製品を乾燥させることができる。そのような乾燥機の欠点は、空気の一部が乾燥ドラムにはいることなく、直接、空気送入導管から前記空間を通って空気送出導管に流れ、その結果、空気流のこの部分がリンネル製品の乾燥にほとんど効率的な寄与をしない、ということである。しかし、空気流のこの部分は乾燥ドラムの加熱に寄与し、したがって間接的にリンネル製品の加熱と乾燥に寄与するが、リンネル製品と接触しないため、直接には乾燥に寄与しない。
【０００５】
　別の公知の乾燥機においては、空気が乾燥ドラムの後壁面の中心穴を通って乾燥ドラム内に導かれ、前面から排出される。リンネル製品は、乾燥ドラムが作動している間、乾燥ドラム内を移動するが、このような乾燥機は、空気の比較的大きな部分がリンネル製品に実際に接触することなく乾燥ドラム内を自由に通過し、したがって乾燥処理高が最適にはならない、という欠点を有する。
【発明の開示】
【発明が解決しようとする課題】
【０００６】
　本発明は、乾燥ドラムに空気を最適の方法で通す空気誘導手段を用いることにより、前記公知の乾燥機に比して、乾燥空気がより最適の方法で使用される乾燥機を提供することを目的とする。
【課題を解決するための手段】
【０００７】
　この目的を達成するため、本発明によれば、
　乾燥機、特にリンネル製品等を乾燥する乾燥機であって、乾燥ドラム、該乾燥ドラムを回転させるための駆動手段、空気流、特に高温空気流を生成するための手段、および乾燥ドラムに空気流を通すための空気誘導手段を有する乾燥機において、
　空気誘導手段が、空気流が入口から強制的に乾燥ドラム内に送り込まれ出口から排出されるように、構成されており、
　さらに、該空気が、乾燥ドラムの円筒形ケーシング部に、および／または乾燥ドラムの軸方向端で乾燥ドラムの外周の近くに配置されている一つ以上の空気通過開口を通って強制的に乾燥ドラム内に送り込まれる、
ことを特徴とする乾燥機、
が提供される。
【０００８】
　本発明の乾燥機においては、下記の二つの効果が組み合わされる。
【０００９】
　一方では、空気流が入口から強制的に乾燥ドラム内に送り込まれ出口から排出されるが、これが意味することは、すべての空気が、発生しうるわずかな漏れ流を除いて、ドラム内を強制的に流され、したがって乾燥ドラムの外側での入口から出口への直接流が、あるとしてもわずかなものを除いて、排除される、ということである。
【００１０】
　他方では、さらに、該空気が、前述したように、乾燥ドラムの円筒形ケーシング部に、および／または乾燥ドラムの軸方向端で乾燥ドラムの外周の近くに配置されている一つ以上の空気通過開口を通って強制的に乾燥ドラム内に送り込まれる、これが意味することは、後壁面に中心空気入口が設けられず、乾燥ドラム内のすべての空気が円筒形ケーシング部の内表面またはその近くに強制的に移動させられ、その結果、効率的でない空気素通りが排除される、ということである。空気をこのように乾燥ドラム内を導くことにより、空気が乾燥ドラム内に進入したときに、乾燥ドラムの内壁に接触しているリンネル製品と接触する機会が常に有ることになる。進入時にリンネル製品と直接接触することがない場合でも、前述した空気の送入方法により、乾燥ドラム内で自動的に効果的な空気の運動が起こるため、乾燥処理高の顕著な増大が生じる。これは、後壁面における簡単な中心空気入口によって生じる空気の運動とはまったく異なる。
【００１１】
　要約すると、高温空気がより効率的にリンネル製品の乾燥に使用される、と言うことができる。
【００１２】
　当業者は、前記のことから、容易に、本発明による空気流を得るために空気誘導手段を具体化すべきやり方を導くことができるであろう。要するに、空気流を確定するすべての空気導路と壁部品は、空気が前記のやり方でのみ乾燥ドラム内を流れることができるように構成すべきであり、言い換えるとそのように配置すべきである。
【００１３】
　空気流の効率をさらに高めるためには、空気を乾燥ドラムに導くすべての空気通過開口を、乾燥ドラムの円筒形ケーシング部に配置するのが好ましい。さらに良いのは、この目的のために、空気通過開口を乾燥ドラムの同一の半分たとえば後ろ半分に配置することである。
【００１４】
　特に好ましい特徴に従えば、乾燥ドラムの円筒形ケーシング部に配置される空気通過開口は、円筒形ケーシング部まわりに帯状に延在する、乾燥ドラムの一端付近の領域に配置される。さらに特に、好ましくは、空気を乾燥ドラムに導く空気通過開口のすべては、主として、円筒形ケーシング部の前記帯状領域に配置される。この領域は、乾燥ドラムの軸方向長さの半分よりも小さな幅を有し、さらに好ましくは、この軸方向長さの四分の一よりも小さな幅に限定される。このようにして、空気は乾燥ドラムの一端の近傍から直接に乾燥ドラム内に強制的に送り込まれる。
【００１５】
　実際的な理由から、好ましくは、空気送入のための空気通過開口は、乾燥ドラムの後ろ半分に配置される。
【００１６】
　前記空気誘導手段は、好ましくは、乾燥ドラム内に空気を導くための少なくとも一つの空気送入導管と、乾燥ドラムから空気を排出するための少なくとも一つの空気送出導管とを有し、このとき一方では、空気送入導管と空気送出導管とが、空気流が大体において乾燥ドラムの一端から他端に強制的に移動させられるように、配置され、また他方では、そのような移動が起こるように、乾燥ドラムに空気通過開口が備えられている。これは、必ずしも、空気流が軸方向両端に沿って引き込まれ、または排出される必要があるということを意味せず、空気の全体としての総体的な流れの向きが一端から他端に向かっているということである。これは、前記の特徴および以下で述べる特徴と組み合わせることにより、均一的なしたがって効率的な乾燥に寄与する。
【００１７】
　乾燥空気の乾燥ドラムからの排出は、本発明により、いろいろなやり方で実施することができる。好ましくは、空気誘導手段は、乾燥ドラムから空気を排出するための一つ以上の空気通過開口を有し、該空気通過開口は乾燥ドラムの円筒形ケーシング部分および／または乾燥ドラムの一つの軸方向端、特に空気が乾燥ドラム内に導かれる端とは反対側の軸方向端に配置されている。
【００１８】
　しかし、最も好ましい実施態様においては、乾燥ドラムから空気を排出するための空気通過開口のすべてが、円筒形ケーシング部に配置されている。さらに特に、これらの空気通過開口は主として乾燥ドラムの同一の半分に、すなわち空気が乾燥ドラム内に導かれる軸方向端の反対側の軸方向端側の半分に配置されている。
【００１９】
　特に好ましくは、乾燥ドラムの円筒形ケーシング部に配置されている、空気を排出するための空気通過開口を、空気を引き込むのに使用される空気通過開口に関して前述した前記帯状領域の場合と同様に、円筒形ケーシング部まわりに帯状に延在する、乾燥ドラムの一端付近の領域に配置される。最も好ましい実施形態の場合、空気を排出するための空気通過開口のすべてがこの帯状領域に配置される。
【００２０】
　帯状領域に配置された、乾燥ドラムの空気通過開口の使用は、また、空気がすべては乾燥ドラム内に強制的に送り込まれない場合でも、乾燥機の他の実施態様において利点を有することがわかる。実際、それぞれの帯状領域を通しての、乾燥ドラム内への空気の送入、または乾燥ドラムからの空気の排出により、乾燥ドラム内での空気の最適流と循環とが作り出される、ということがわかった。このことを考慮すると、本発明によれば、また、乾燥機、特にリンネル製品等を乾燥する乾燥機であって、乾燥ドラム、乾燥ドラムを回転させるための駆動手段、空気流、特に高温空気流を生成するための手段、および乾燥ドラムに空気流を通すための空気誘導手段を有する乾燥機において、
　乾燥ドラムが二組の空気通過開口を備え、該二組が、空気を送入するための第一の組と空気を排出するための第二の組とであり、
　該二組が、それぞれ乾燥ドラムの円筒形ケーシング部の各端近くに配置され、且つそれぞれ円筒形ケーシング部まわりに帯状に延在しており、該二組の間にある円筒形ケーシング部の部分が一様に閉じている、
ことを特徴とする乾燥機、が提供される。
【発明を実施するための最良の形態】
【００２１】
　以下、本発明の特徴をさらに十分に説明するために、いかなる意味でも本発明を限定するものではない単なる例示のものとして複数の実施形態について、添付の図面を参照しつつ説明する。
【００２２】
　図１〜５に示すように、本発明の乾燥機１は、回転式の乾燥ドラム２（ここでは、固定ドラム３に囲繞されている）、乾燥ドラム２を回転させるための駆動手段４、高温空気流６を生成するための手段５、および乾燥ドラム２に空気流６を導き、その後、排出する空気誘導手段７を有する。これらの部品のアセンブリは、通常、枠体部８内に収容されており、該枠体部８はドア９を備えていて、該ドア９を通して、リンネル製品を乾燥ドラム２内に入れ、その後、乾燥ドラム２から取りだすことができる。
【００２３】
　駆動手段４は電動機１０と伝動装置１１とから成り、該伝動装置１１は電動機１０の軸の回転を乾燥ドラム２に伝達する。
【００２４】
　模式的にしか示してないが、高温空気流６を生成するための手段５は、通常のように、電熱器と空気ポンプまたは通気ユニットとから成り、吸入導管１２から空気を引き込んでその空気を加熱するようにすることができる。
【００２５】
　空気誘導手段７は、加熱された空気を乾燥ドラム２に導き、該乾燥ドラム２を通過させてから、排出するための、導管、通路、その他のアセンブリから成っている。これらの空気誘導手段７は、特に、マウスピース１４を通じて固定ドラム３に接続されている空気送入導管１３と、固定ドラム３の壁面に設けられたマウスピース１６によって例えば出口１７に接続されている空気送出導管１５を有する。
【００２６】
　本発明の特別な点は、空気誘導手段７が、一方では、空気流６が、主として、マウスピース１４からなる入口を通して強制的に乾燥ドラム２内に送られ、その後、マウスピース１６からなる出口を通って排出されるように構成されるということである。これは、ここに示す実施形態の場合、図５に示すようにして実現される。すなわち、以下で説明するように、回転式の乾燥ドラム２と固定ドラム３との間の空間１８が極限まで小さくされて、わずかな漏れ流を除いて、すべての空気がマウスピース１４から後述の空気通過開口１９を通して強制的に乾燥ドラム２内に送り込まれる。
【００２７】
　他方、本発明によれば、このとき空気は、乾燥ドラム２の円筒形ケーシング部２０に、および／または乾燥ドラム２の一つの軸方向端、特に乾燥ドラム２の軸方向壁部分２１で乾燥ドラム２の外周の近くに配置されている空気通過開口を通して乾燥ドラム２内に強制的に送り込まれる。しかし、図１〜５の実施形態の場合、円筒形ケーシング部２０に配置されている空気通過開口、すなわち前記空気通過開口１９のみが、もっぱら用いられる。
【００２８】
　ここでは、空気通過開口１９は、乾燥ドラム２の同一の半分すなわち後ろ半分Ｈ１に配置してある。さらに詳しく言えば、これらの開口は、乾燥ドラム２の後端２２近くの領域に配置してあり、該領域は、円筒形ケーシング部２０まわりに帯状に延在している。該帯の幅Ｂは、乾燥ドラム２の軸方向長さＬの半分よりも小さく、さらには、この長さＬの１／４よりも小さく、さらに好ましくは、図示されているように、１／６よりも小さい。
【００２９】
　この場合、空気通過開口１９は、外周に沿って連続的に延び前記帯を形成する一組のパーホレーションの形に構成されている。該空気通過開口１９によって形成される帯はマウスピース１４に正確に対向するように配置してある。
【００３０】
　乾燥ドラム２の後端２２は、完全に閉じた壁部分２１によって構成されている後壁面２３によって、閉じられている。
【００３１】
　乾燥ドラム２からの空気の排出のために、空気誘導手段７は、本発明においては、好ましくは、円筒形ケーシング部２０に、および／または乾燥ドラム２の軸方向端２４に配置されている空気通過開口を有する。しかし、図１〜５に示す実施形態では、円筒形ケーシング部２０に配置されている空気通過開口、すなわち図示の空気通過開口２５のみが、もっぱら用いられる。
【００３２】
　これらの空気通過開口２５は、乾燥ドラム２の前半分Ｈ２に配置され、また端２４に近い領域に配置してある。この領域は、円筒形ケーシング部２０まわりに延在する帯の形をしており、この帯の幅Ｂは、好ましくは、空気通過開口１９によって形成される帯の幅Ｂと同様に定められる。
【００３３】
　空気送入導管１３と空気送出導管１５、特に付随するマウスピース１４と１６とは、横から見たとき、図５の断面図でもわかるように、互いに大体対角線的に配置されている。さらに詳しく言うと、空気送入導管１３は固定ドラム３の上半分、すなわち乾燥ドラム２の上半分につながっており、また空気送出導管１５は固定ドラム３の下半分、すなわち乾燥ドラム２の下半分につながっている。
【００３４】
　乾燥ドラム２の正面から見ると、マウスピース１４と１６、したがってまた空気送入導管１３と空気送出導管１５は、図１からはっきりわかるように、固定ドラム３の脇に対角線方向に傾斜配置されている。マウスピース１４と１６のこの配置は、これらのマウスピースを四角い枠体部８の各自由縁に取りつけることを可能にする。
【００３５】
　乾燥ドラム２の作用は、図から容易に理解することができる。高温空気流を生成するための手段５が作動することにより、空気が引き込まれ、高温空気流６が生成される。空気通過開口１９と２５を有する空気誘導手段７の前述の構造により、生成された空気流６は、全部またはほとんど全部が強制的に乾燥ドラム２を通され、さらにこのとき、この空気流６は、乾燥ドラム２内を、図２〜５に模式的に示してあるように、大体対角線的に移動することになる。このようにして、最小のエネルギー消費で、最大の乾燥が行われることが明らかである。
【００３６】
　円筒形ケーシング部の、それぞれ後端２２近くの帯状領域と前端２４近くの帯状領域のみに配置されている空気通過開口１９と２５を有する乾燥ドラム２の使用により、非常に良い結果が得られるが、本発明によれば、他の実施形態を採りうることも明らかである。
【００３７】
　このことを明らかにするために、実施形態の変形例を図６に示す。この実施形態の変形例は、乾燥ドラム２内に空気を供給するための空気通過開口１９と２６とを有し、これらの開口は、それぞれ、円筒形ケーシング部２０と、後壁面２３で乾燥ドラム２の外周の近くとに配置されている。また、この実施形態の変形例は、乾燥ドラム２の前端２４によって形成される別の空気通過開口２７をも有し、該空気通過開口２７は横で空気送出導管１５に接続している。
【００３８】
　図６は、空気通過開口１９は円筒形ケーシング部２０の外周全体にわたって設けることもできる、ということを示している。
【００３９】
　基本的には、要するに、空気供給のための空気通過開口は、すべて乾燥ドラム２の領域Ｚ１に配置され、好ましくはすべて長さＬの一つ領域Ｚ２に配置され、さらに好ましくは半分の長さＨ１の領域Ｚ３に配置され、もっとも好ましい実施形態においては乾燥ドラム２まわりの局所的帯に沿って延在している長さＢの領域Ｚ４にのみ配置される。
【００４０】
　やはり基本的に、空気送入導管１３から空気送出導管１５への空気の直接の流れは、完全になくなるか、あるいは少なくともせいぜい漏れ流の程度に限定される。これは、図６に示す実施形態の場合、固定ドラム３と乾燥ドラム２との間の空間が後壁面２８によって該空間の端が閉じられている、ということによって達成される。
【００４１】
　当然のことながら、本発明による乾燥機１には、制御・操作パネルが備えられるが、これは、説明の簡略化のために、図には示さない。やはり明らかなように、乾燥ドラム２は必ずしも完全な円筒形である必要はない。たとえば、乾燥機ドラム２の内側には、リブその他を作りつけて乾燥ドラム２の回転につれて乾燥リンネル製品が上方に導かれるようにすることができる。また、乾燥ドラム２の外側も完全には円筒形である必要はない。前述の円筒形ケーシング部に関する説明においては、明らかに、一般には、乾燥ドラム２の外周壁が通常は円筒形であるが、本発明によれば、そのほかに、これからずれた、角ばった部分を有するような構造も可能である、という意味に理解すべきである。
【００４２】
　本発明は、例として説明し図に示した実施形態のみに限定されるものではなく、逆に本発明の乾燥ドラムは、本発明の範囲を逸脱することなく、いろいろな形態と寸法とで実施することができる。
【図面の簡単な説明】
【００４３】
【図１】本発明による乾燥機を模式的に示す図である。
【図２】図１の乾燥機の乾燥ドラムを模式的に示す斜視図である。
【図３】図２の矢印Ｆ３の向きに見た図である。
【図４】図２の矢印Ｆ４の向きに見た図である。
【図５】図１の線Ｖ−Ｖに沿う拡大断面図である。
【図６】図５と同様の断面図であるが、実施形態の変形例に関するものである。
【符号の説明】
【００４４】
　１　乾燥機
　２　回転式の乾燥ドラム
　３　固定ドラム
　４　駆動手段
　５　高温空気流を生成するための手段
　６　高温空気流
　７　空気誘導手段
　８　枠体部
　９　ドア
１０　電動機
　１１　伝動装置
　１２　吸入導管
　１３　空気送入導管
　１４　マウスピース
　１５　空気送出導管
　１６　マウスピース
　１７　出口
　１８　空間
　１９　空気通過開口
　２０　円筒形ケーシング部
　２１　軸方向壁部分
　２２　乾燥ドラムの後端
　２３　後壁面
　２４　乾燥ドラムの軸方向端
　２５　空気通過開口
　２６　空気通過開口
　２７　空気通過開口
　２８　乾燥ドラムの後壁面
　Ｂ　空気通過開口が配置されている領域の幅
　Ｈ１　乾燥ドラムの後ろ半分
　Ｈ２　乾燥ドラムの前半分
　Ｌ　乾燥ドラムの軸方向長さ
　Ｚ１　乾燥ドラムの領域
　Ｚ２　乾燥ドラムの長さＬの領域
　Ｚ３　乾燥ドラムの半分の長さＨ１の領域
　Ｚ４　乾燥ドラム局所的帯状領域
【図１】
2004113790.tif 000003
【図２】
2004113790.tif 000004
【図３】
2004113790.tif 000005
【図４】
2004113790.tif 000006
【図５】
2004113790.tif 000007
【図６】
2004113790.tif 000008